(57)【要約】【課題】  癒しの空間として十分に機能しつつ、設置の際、特別な基礎工事を必要としない栽培棚を提供する。【解決手段】  栽培棚１は、内部に空間１０を形成するように柱部２ａ〜２ｄを複数立設して、隣接する柱部２ａ〜２ｄの上部間を連結材８で連結して構成された支持体３と、該支持体３の上面に載置された複数の棒状部材４を格子状に結束して構成された棚部５と、各柱部２ａ〜２ｄの接地部近傍に一体に備え付けられたプランター６びベンチ７とから構成されている。このような栽培棚１が設置された空間には、休憩場所として、また癒しの空間として十分な環境が得られる。また、支持体３は、プランター６及びベンチ７が重しとなって設置場所に固定されているため、設置の際、支持体３を固定するための特別な基礎工事を必要としない。【選択図】        図１
0003106976.tif 000002
【実用新案登録請求の範囲】
【請求項１】
内部に空間を形成するように立設した複数の柱部と、隣接する柱部の上部間を連結する連結材とから構成された支持体と、該支持体の上面に載置された複数の棒状部材を格子状に結束して構成された棚部と、各柱部の接地部近傍に一体に備え付けられたプランター及びベンチとから構成されることを特徴とする栽培棚。
【請求項２】
前記柱部、前記棚部、前記プランター及び前記ベンチは、間伐材などの木材で形成されていることを特徴とする請求項１に記載の栽培棚。
【請求項３】
前記プランターには、つる性植物を植え付けてなることを特徴とする請求項１または２に記載の栽培棚。
【考案の詳細な説明】
【技術分野】
【０００１】
本考案は、つる性植物等の伸長した茎や葉を絡ませる栽培棚に関するものである。
【背景技術】
【０００２】
従来から、公園施設や学校施設などには、複数立設する柱部の上端に棚部を設けた栽培棚が設置され、棚部につる性植物の茎や葉を絡ませることにより、太陽からの直射光を遮断した日陰の空間を得て、つる性植物の観賞等が行えるようになっている。
しかしながら、このような栽培棚を設ける際には、各柱部を固定するための特別な基礎工事が必要であり、設置工事が煩雑となり、設置コストが高くなる虞があった。しかも、栽培棚は、その柱部に鋼管等が使用され、棚部はワイヤー等が張りめぐらされて構成される場合が多く、栽培棚が周囲の風景とマッチしていないため、心体を癒す効果としては、それほどの効果を発揮していなかった。
【０００３】
上述した構成に類似した栽培棚の従来技術として、特許文献１には、複数の支柱を屋上の所定位置に立設して、屋上の両端部側のパラペットに打ち込まれたアンカーに両端部が接続されたワイヤーの中間部分を各支柱でそれぞれ支持して栽培棚を構成することが開示されている。
【０００４】
【特許文献１】特開２００１−２７５４７７号公報
【考案の開示】
【考案が解決しようとする課題】
【０００５】
上述した特許文献１の発明においても、上述した問題点と同様に、支柱を屋上の所定位置に立設させるための工事や、ワイヤーを接続するアンカーをパラペットに打ち込む工事等が必要で、設置工事が煩雑となり、設置コストが高くなる虞がある。また、支柱やワイヤーは木材等の天然素材で形成されていないため、癒しの効果として不十分であった。
【０００６】
本考案は、かかる点に鑑みてなされたものであり、癒しの空間として十分に機能しつつ、設置の際、特別な基礎工事を必要としない栽培棚を提供することを目的とする。
【課題を解決するための手段】
【０００７】
本考案は、上記課題を解決するための手段として、請求項１に記載した考案は、内部に空間を形成するように立設した複数の柱部と、隣接する柱部の上部間を連結する連結材とから構成された支持体と、該支持体の上面に載置された複数の棒状部材を格子状に結束して構成された棚部と、各柱部の接地部近傍に一体に備え付けられたプランター及びベンチとから構成されることを特徴とするものである。
このように構成することにより、プランターに栽培された、例えばつる性植物が伸長して棚部に絡まり、複数の柱部で囲まれた空間は太陽からの直射光が遮断され、さらに、この空間にはベンチが備え付けられているため、休憩場所として、また植物の観賞に最適な環境が得られる。また、栽培棚を設置する際、支持体は、各柱部の接地部近傍に一体に備え付けられたプランター及びベンチが重しとなって設置場所に固定されるので、支持体を固定するための特別な基礎工事を必要としない。さらに、栽培棚、特に支持体を移動する際には、各柱部からプランター及びベンチを取り外すだけで、支持体を容易に移動自在にさせることができるので、設置場所の変更が容易となる。
【０００８】
請求項２に記載した考案は、請求項１に記載した考案において、前記柱部、前記棚部、前記プランター及び前記ベンチは、間伐材などの木材で形成されていることを特徴とするものである。
このように構成することにより、栽培棚が周囲の風景にマッチして、見た目や手触りがやさしく自然な環境が得られる。
【０００９】
請求項３に記載した考案は、請求項１または２に記載した考案において、前記プランターには、つる性植物を植え付けてなることを特徴とするものである。
このように構成することにより、栽培棚の棚部には、つる性植物が伸長した茎や葉が絡まり、複数の柱部で囲まれた空間は太陽からの直射光が遮断される。
【考案の効果】
【００１０】
本考案の請求項１に記載した考案によれば、プランター内に栽培された、例えばつる性植物が伸長して棚部に絡まり、複数の柱部で囲まれた空間は太陽からの直射光が遮断され、さらに、この空間にはベンチが設置されているため、休憩場所として最適な環境を得ることができ、植物の観賞はもちろん、植物を身近に触れることもでき、安らぎ、面白さ及び楽しさ等を存分に満喫することができる。
また、支持体は、各柱部の接地部近傍に一体に備え付けられたプランター及びベンチが重しとなって設置場所に固定されるので、設置の際、特別な基礎工事を必要とせず、設置作業が容易となり、設置時のコストを削減することができる。
【００１１】
請求項２及び３に記載した考案によれば、栽培棚の棚部には、つる性植物の茎や葉が絡まり、さらに、栽培棚を構成する柱部、棚部、プランター及びベンチは間伐材などの木材で形成されているので、栽培棚が周囲の風景にマッチして、見た目や手触りがやさしく、自然を感じることができ、十分な癒し効果を得ることができる。
【考案を実施するための最良の形態】
【００１２】
以下、本考案を実施するための最良の形態を図１及び図２に基いて詳細に説明する。
本考案の実施の形態に係る栽培棚１は、公園施設や学校施設などに設置されるものであり、図１及び図２に示すように、内部に空間１０を形成するように柱部２ａ〜２ｄを複数(本実施の形態では４本)立設して、隣接する柱部２ａ〜２ｄの上部間を連結材８で連結して構成された支持体３と、該支持体３の上面に載置され、複数の竹（棒状部材）４を格子状に結束して構成された棚部５と、各柱部２の接地部近傍に一体に備え付けられ、支持体３を設置場所に固定するプランター６及びベンチ７とから構成されている。
【００１３】
支持体３は、内部に空間１０を形成するように立設される複数の柱部２ａ〜２ｄと、隣接する柱部２ｃと２ａ、２ａと２ｄ、２ｄと２ｂ、２ｂと２ｃの上部間をそれぞれ連結する連結材（本実施の形態では４本）８とから構成されている。また、各柱部２ａ〜２ｄの上部と各連結材８との間には、補強のための筋交い９が取り付けられている。
各柱部２ａ〜２ｄは、間伐材などの木材を所定長さ（約２ｍ）に切断して形成され、各柱部２ａ〜２ｄを略矩形状を画くように立設させて、各柱部２ａ〜２ｄで囲まれた部分に略矩形状の空間１０を形成している。
なお、支持体３を構成する柱部は３本以上であれば、各柱部で所定の空間を形成することができる。
また、各連結材８は、間伐材などの木材を所定長さ（各柱部２ａ、２ｃ間、または２ａ、２ｄ間の距離に相当する長さ）に切断して形成されている。
【００１４】
棚部５は、所定長さ（各柱部２ａ、２ｃ間、または２ａ、２ｄ間の距離に相当する長さ）に切断された複数の竹４を格子状に結束して、平面視における外形が支持体３の上面を上方から覆う程度の面積を有する略矩形状に形成されている。
【００１５】
プランター６は、間伐材などの木材で所定大きさの箱状に形成され、その内部につる性植物が栽培されている。このプランター６は、つる性植物を栽培する培地の下に貯水槽が設置され、所定量以上の雨水が降った場合に貯水槽に貯水しておき、必要に応じて貯水槽の水を培地に上昇、供給できるようにした無灌水式プランターが採用されており、灌水の管理を低減させるようにしている。また、このプランター６からは、つる性植物が伸長する際、茎が絡まる竹１１が立設されている。
また、ベンチ７は、間伐材などの木材で所定の大きさに形成されている。
【００１６】
そして、栽培棚１を所定場所に設置する際には、支持体３の上面に棚部５を載置した状態で所定場所に設置する。次に、プランター６を２基、対角線上に位置する各柱部２ａ、２ｂの接地部近傍に一体にぞれぞれ備え付け、また、ベンチ７を２基、対角線上に位置する各柱部２ｃ、２ｄの接地部近傍に、且つ各柱部２ａ〜２ｄで形成された空間１０内に位置するように一体にそれぞれ備え付ける。このように、支持体３は、プランター６及びベンチ７が重しとなって設置場所に固定される。
なお、プランター６及びベンチ７の別の設置形態として、プランター６及びベンチ７を各１基、対角線上に位置する各柱部２ａ、２ｂまたは２ｃ、２ｄの接地部近傍にそれぞれ備え付けてもよい。これらプランター６及びベンチ７の設置形態は、上述した設置形態に限定されず、支持体３を安全に固定できる配置となるように各柱部２ａ〜２ｄに備え付ければ良く、全ての柱部２ａ〜２ｄに備え付ける必要もない。また、ベンチ７を、各柱部２ａ〜２ｄのいずれかの接地部近傍に備え付ける際、空間１０内に配置されることが望ましい。
【００１７】
以上説明したように、本考案の実施の形態に係る栽培棚１によれば、プランター６内に栽培されたつる性植物が、プランター６から立設された竹１１に絡まりながら伸長して棚部５全体に絡まるようになる。すると、棚部５に絡まったつる性植物により、各柱部２ａ〜２ｄで囲まれた空間１０は太陽からの直射光が遮断される。そして、この太陽の直射光が遮断された空間１０内にはベンチ７が配置されており、植物の観賞や休憩場所として最適な環境が得られる。また、支持体３は、プランター６及びベンチ７が重しとなって設置場所に固定されるので、設置の際、支持体３を固定するための特別な基礎工事を必要としない。さらに、栽培棚１を構成する柱部２ａ〜２ｄ、棚部５、プランター６及びベンチ７は間伐材などの木材で形成されているので、栽培棚１が周囲の風景にマッチして見た目や手触りがやさしく自然な環境が得られる。
【図面の簡単な説明】
【００１８】
【図１】図１は、本考案の実施の形態に係る栽培棚の斜視図である。
【図２】図２は、図１を斜め上方から見た図である。
【符号の説明】
【００１９】
１              栽培棚
２ａ〜２ｄ      柱部
３              支持体
４              竹（棒状部材）
５              棚部
６              プランター
７              ベンチ
８              連結材
１０            空間
【図１】
0003106976.tif 000003
【図２】
0003106976.tif 000004